(57)【要約】【課題】全メーカーの全機種のディスプレイに対応することができ、しかも、壁面に取り付ける際の作業性を向上させるようにした取付器具を提供する。【解決手段】壁面上で水平方向にスライドする第一スライドレール１１と、縦方向にスライドする第二スライドレール２１とを設け、第一スライドレール１１と第二スライドレール２１とを交叉するように壁面の法線方向に連結し、この連結されたスライドレール１１、２１に平面状のディスプレイ５を取り付けるための連結具１２、２２を設ける。また、ディスプレイ５の下方を載置する載置台４３をブラケット４上に設け、この載置台４３にディスプレイ５を載置した状態でディスプレイ５を立て掛けて、第二スライドレール２１上の第二連結具２２を下方にスライドさせて第一連結具１２のフック受け１３に挿入させる。【選択図】図１
2009284363.tif 000002
【特許請求の範囲】
【請求項１】
壁面に平面状のディスプレイを取り付けるための取付器具において、
前記壁面上で水平方向にスライドする第一スライドレールと、縦方向にスライドする第二スライドレールとを設け、前記第一スライドレールと第二スライドレールとを交叉するように壁面の法線方向に連結し、当該連結されたスライドレールに前記平面状のディスプレイを取り付けるための連結具を設けるようにしたことを特徴とするディスプレイの取付器具。
【請求項２】
壁面に平面状のディスプレイを取り付けるための取付器具において、
壁面側に取り付けられ、水平方向に第一連結具をスライドさせる第一スライドレールと、
ディスプレイの裏面側に取り付けられ、前記第一連結具と連結する第二連結具を縦方向にスライドさせる第二スライドレールと、
ディスプレイの下端近傍を載置する載置台とを備えてなり、
前記ディスプレイの下端近傍を載置台に載置した状態で、ディスプレイの裏面側に設けられたネジ孔の幅に対応した幅に前記第一連結具をスライドさせ、当該スライドさせた第一連結具の上方から第二連結具を下降させて第一連結具に連結させるようにしたことを特徴とする請求項１に記載のディスプレイの取付器具。
【請求項３】
前記載置台を、壁面に平面状に取り付けられる平面状ブラケット上に設けた請求項２に記載のディスプレイの取付器具。
【請求項４】
請求項３のディスプレイの取付器具において、さらに、平面状ブラケット上で前記第一スライドレール又は／及び載置台の縦方向の取り付け位置を変更する取付位置変更手段を設けるようにしたディスプレイの取付器具。
【請求項５】
前記載置台が、ディスプレイの下端近傍の載置位置を壁面の法線方向に沿って変更できるようにした第一選択部を設けてなるものである請求項２に記載のディスプレイの取付器具。
【請求項６】
前記第一連結具が、第二連結具の連結位置を、壁面の法線方向に沿って変更できるようにした第二選択部を備えてなるものである請求項２に記載のディスプレイの取付器具。
【請求項７】
前記縦方向にスライドする第二スライドレール上に、載置台上に載置される載置部を設け、当該載置部を縦方向にスライドする第二スライドレール上で上下方向にスライドさせて固定できるようにした請求項３に記載のディスプレイの取付器具。
【発明の詳細な説明】
【技術分野】
【０００１】
本発明は、薄型テレビなどのディスプレイを壁面に取り付けるためのディスプレイの取付器具に関するものであり、より詳しくは、各メーカーから販売されている数多くのディスプレイを壁面に取り付けられるようにし、かつ、その取り付け作業を簡単に行えるようにしたディスプレイの取付器具に関するものである。
【背景技術】
【０００２】
近年では、地上デジタル放送への移行に伴い、液晶テレビ、プラズマディスプレイ、エレクトロルミネッセンスディスプレイなどの各種薄型ディスプレイへの買い替え需要が高まってきている。そして、この需要の増大に対応して、各社電機メーカーから多くの薄型ディスプレイが販売されるとともに、このディスプレイを壁面に取り付けるための取付器具なども各種提案されるようになってきている。
【０００３】
例えば、特許文献１には、小型軽量化やコストの低減を図ることができる薄型ディスプレイの壁掛け装置が提案されている。
【０００４】
この壁掛け装置を図９に示すと、このディスプレイの壁掛け装置は、壁面に固定される複数のベースブラケット７０と、薄型ディスプレイの背面に固定されるフックユニット８０とを備えて構成されるもので、このうち、ベースブラケット７０とフックユニット８０は、フック８１、掛け穴７１のほか、それぞれ位置決め用の凹凸部９０を備えて構成される。
【０００５】
このような壁掛け装置を使用する場合、まずは、ベースブラケット７０を壁面に固定する。このとき、一対のベースブラケット７０の平行状態を確保するため、フックユニット８０を逆向け（図９の状態）にしてベースブラケット７０の凹凸部９０を嵌合させ、一対のベースブラケット７０を平行な状態にする。そして、このように固定されたベースブラケット７０に対して、治具として使用したフックユニット８０を正規の方向（図９とは逆方向）にして薄型ディスプレイの背面に取り付けるようにする。このとき、ディスプレイを持ちながら、上側のベースブラケット７０に穿設された複数の掛け穴７１を選択し、フック８１をこの掛け穴７１に引っ掛けてベースブラケット７０に取り付けるようにしていく。
【特許文献１】特開２００８−５２１３３号公報
【発明の開示】
【発明が解決しようとする課題】
【０００６】
しかしながら、特許文献1に記載されるような壁掛け装置では、以下に示すような問題があった。
【０００７】
すなわち、特許文献１に示されるような壁掛け装置では、ディスプレイをベースブラケット７０に取り付ける際、フックユニット８０の左右間隔に適合するように、ベースブラケット７０の掛け穴７１を選択して取り付けなければならない。しかるに、このベースブラケット７０の掛け穴７１が間欠的に設けられているため、必ずしも全機種のディスプレイに対応することができないという問題がある。また、掛け穴７１にフック８１を引っ掛ける際、作業者は、常に重いディスプレイを保持したまま裏側のフック８１を掛け穴７１に掛けていかなければならず、作業の負担が大きくなっていた。さらには、特許文献１の構成では、ベースブラケット７０の取り付け位置を変えることによって、ディスプレイの左右方向の取り付け位置を変更することができるが、上下方向の取り付け位置を変更することができない。このため、ディスプレイの高さ位置や角度などを変更する場合は、ベースブラケット７０を一から付け直さなければならないという問題もあった。
【０００８】
そこで、本発明は上記課題に着目して、全メーカーの全機種のディスプレイに対応することができ、しかも、壁面に取り付ける際の作業を容易に行わせることができるようにしたディスプレイの取付器具を提供することを目的とする。
【課題を解決するための手段】
【０００９】
すなわち、本発明は上記課題を解決するために、壁面に平面状のディスプレイを取り付けるための取付器具において、前記壁面上で水平方向にスライドする第一スライドレールと、縦方向にスライドする第二スライドレールとを設け、前記第一スライドレールと第二スライドレールとを交叉するように壁面の法線方向に連結し、当該連結されたスライドレールに前記平面状のディスプレイを取り付けるための連結具を設けるようにしたものである。
【００１０】
このようにすれば、ディスプレイを壁面に取り付ける際、ディスプレイの裏面側に設けられているネジ孔などの取付部の幅に対応させて縦方向の第二スライドレールを第一スライドレール上でスライドさせてディスプレイを壁面に取り付けることができ、しかも、その第二スライドレールによって上下方向にスライドさせることによってディスプレイの高さ位置も任意に調整することができるようになる。これにより、ほぼ全ての大きさのディスプレイに対応して壁面に取り付けることができ、しかも、任意の高さ位置にディスプレイを取り付けることができるようになる。
【００１１】
また、このような発明において、水平方向に第一連結具をスライドさせる第一スライドレールを壁面側に取り付け、縦方向にスライドさせる第二スライドレールをディスプレイ側に取り付ける。そして、ディスプレイの下端近傍を載置する載置台を設け、この載置台上にディスプレイの下端近傍を載置させた状態で、ディスプレイの裏面側のネジ孔の幅に対応した幅に第一スライドレールの第一連結具をスライドさせ、このスライドさせた第一連結具の上方から第二スライドレール上の第二連結具を下降させて第一連結具に連結させるようにする。
【００１２】
このようにすれば、数十インチもの大きさを有する重いディスプレイを壁面に取り付ける場合、載置台上にディスプレイを載せた状態でディスプレイの裏面側のネジ孔の位置に第一連結具をスライドさせ、ディスプレイを壁面側に起こした状態で、その上から第二連結具を落とし込むことでそれぞれの連結具を連結させることができる。これにより、従来のように、常に重いディスプレイを持ったまま壁面に取り付けなければならないといった辛い作業を解消することができるようになる。
【００１３】
また、このような発明において、壁面に平面状に取り付けられる平面状ブラケット上に載置台を設けるようにする。
【００１４】
このようにすれば、ディスプレイの荷重を平面状ブラケットで支えることができ、その平面状ブラケットと壁面の広い接触平面内で荷重を分散させることで、プラスターボードなどのような比較的脆弱な壁面にもディスプレイを取り付けることができるようになる。
【００１５】
また、平面状ブラケット上で前記第一スライドレール又は／及び載置台の縦方向の取り付け位置を変更する取付位置変更手段を設けるようにする。
【００１６】
このようにすれば、載置台と第一スライドレールの上下幅が大きく空いているような場合であっても、これらの幅を狭くすることで、平面状ブラケットが小さなディスプレイからはみ出てしまうようなことを防止することができる。
【００１７】
さらに、このように載置台を設ける場合、ディスプレイの下端近傍の載置位置を、壁面の法線方向に沿って変更できるようにする。
【００１８】
また、同様に第一連結具と第二連結具を連結させる場合、それぞれの連結位置を、壁面の法線方向に沿って変更できるようにする。
【００１９】
このようにすれば、載置台側の取り付け位置や連結具側の取り付け位置を変更することによってディスプレイの傾斜角度を変更することができ、ディスプレイを見やすい角度に調整することができるようになる。
【００２０】
加えて、縦方向にスライドする第二スライドレール上に、載置台上に載置される載置部を設け、当該載置部を縦方向にスライドする第二スライドレール上で上下方向にスライドさせて固定できるようにする。
【００２１】
このようにした場合であっても、ディスプレイの裏面側に設けられた載置部の高さ位置を調整することによって、ディスプレイの取り付け位置の高さを調整することができるようになる。
【発明の効果】
【００２２】
本発明によれば、壁面上で水平方向にスライドする第一スライドレールと、縦方向にスライドする第二スライドレールとを設け、前記第一スライドレールと第二スライドレールとを交叉するように壁面の法線方向に連結し、当該連結されたスライドレールに前記平面状のディスプレイを取り付けるための連結具を設けるようにしたので、ディスプレイを壁面に取り付ける際、ディスプレイの裏面側に設けられているネジ孔の幅に対応させることができ、ほぼ全ての大きさのディスプレイに対応して壁面に取り付けることができ、しかも、任意の高さ位置にディスプレイを取り付けることができるようになる。
【００２３】
また、載置台上にディスプレイの下端近傍を載置した状態で、ディスプレイの裏面側に設けられたネジ孔の幅に対応した幅に左右方向から第一連結具をスライドさせ、この上から第二連結具を下降させて連結させるようにしたので、載置台上にディスプレイを載せた状態でディスプレイを壁面に取り付けることができるようになる。このため、従来のように、常に重いディスプレイを持ったまま壁面に取り付けなければならないといった辛い作業を解消することができるようになる。
【発明を実施するための最良の形態】
【００２４】
以下、本発明の一実施の形態について図面を参照して説明する。図１は、本実施の形態における取付器具１を用いて壁面に薄型ディスプレイ（以下、「ディスプレイ」と称する）を取り付ける状態を示す斜視図であり、ディスプレイ５と壁面を透過させた状態を示したものである。また、図２は、ブラケット４に設けられる第一スライド機構１０と第一連結具１２の断面を示したものであり、図３から図５は、ディスプレイ５の裏面側に設けられる第二スライド機構２０の斜視図、平面断面図および側面図を示したものである。また、図６は、本実施の形態における取付器具１を用いて壁面にディスプレイ５を取り付ける状態を示した断面図である。
【００２５】
本実施の形態における取付器具１は、図１に示すように、壁面に取り付けられる平面状のブラケット４を介してディスプレイ５を壁面に取り付けられるようにしたものであって、平面状のブラケット４側に取り付けられる水平方向の第一スライド機構１０と、ディスプレイ５の裏面側に取り付けられる縦方向の第二スライド機構２０と、ディスプレイ５を載置する載置台４３などを備えて構成される。なお、ここで、取付器具１によって取り付けられるディスプレイは、液晶テレビやプラズマディスプレイ、エレクトロルミネッセンスディスプレイなどのように壁面に掛けることが可能な薄型のディスプレイを想定して説明する。以下に、本実施の形態における取付器具１が取り付けられるブラケット４、および、その取付器具１の構成について詳細に説明する。
【００２６】
まず、壁面に取り付けられる平面状のブラケット４は、図１に示すように、壁面との接触面側に平面状の壁面接触部４１を有してなるものであって、その壁面接触部４１の接触面積を大きくすることによってディスプレイ５の荷重応力を分散させ、これによって、重い荷重に耐えられるようにしたものである。このブラケット４は、主に、プラスターボードなどのような比較的脆弱な壁面にディスプレイ５を取り付ける場合に使用される。
【００２７】
このブラケット４の表面には、大小複数の取付孔４０が設けられており、この取付孔４０を適宜選択することで、プラスターボードの表面に専用の取付部材を介して取り付けられるようにしている。なお、この専用の取付部材としては、例えば、特開２００５−２９０７８７号公報や特開２００８−５０８７９号公報に記載されたものなどを用いることができる。
【００２８】
このブラケット４の側辺には、壁面から起立するような起立部４２を設けており、この起立部４２や壁面接触部４１に設けられた複数のネジ孔を選択することで、任意の位置に載置台４３や第一スライド機構１０を取り付けられるようにしている。
【００２９】
この第一スライド機構１０は、水平方向に設けられるものであって、チャネル状の溝を有する第一スライドレール１１上で第一連結具１２をスライドさせ、これによって、第一連結具１２をディスプレイ５の裏面側に設けられた製品毎のネジ孔ピッチに対応できるようにしている。
【００３０】
この第一スライドレール１１は、図２に示すように、底面部１１ａと、その上辺部分および下辺部分から前方側へと起立する起立部１１ｂとを備えてなり、その起立部１１ｂに沿って第一連結具１２をスライドさせるようにしている。この第一スライドレール１１に第一連結具１２をスライドさせる場合、第一連結具１２に設けられたコの字状の起立部１２ｂを第一スライドレール１１の起立部１１ｂに挟み込ませ、これによって第一連結具１２を水平方向にスライドさせるようにしている。一般に、このような第一連結具１２によってディスプレイ５の荷重を支持する場合、金属などのように比較的重量に耐えられる素材で構成しなければならないが、ここでは、載置台４３によってディスプレイ５の荷重を支持するため、この第一連結具１２には直接大きな荷重がかからない。このため、第一連結具１２をプラスチックなどの樹脂によって構成することができる。もちろん、この第一連結具１２を金属などを用いて構成してもよい。また、この第一連結具１２には、フック受け１３を設けており、このフック受け１３の開口部に第二連結具２２のフック部２３（図３）を引っ掛けられるようにしている。
【００３１】
また、このブラケット４の下方には、ディスプレイ５の下端部分近傍を載置させるための載置台４３を設けている（図１）。この載置台４３は、Ｌ字状をなす受け台によって構成されるもので、その上面にディスプレイ５の裏面側に設けられた鈎部３２を載置することによってディスプレイ５を支持させるようにしている。この載置台４３は、ブラケット４のネジ孔を選択して任意の高さ位置に取り付けられ、これによって、ディスプレイ５の高さ位置を調整できるようにしている。
【００３２】
一方、第一スライド機構１０と直交方向にスライドする第二スライド機構２０は、ディスプレイ５の裏面側に取り付けられるものであって、図３に示すように、第一連結具１２に連結される第二連結具２２と、垂直方向にスライドする第二スライドレール２１とを備える。一般に、ディスプレイ５はメーカーや機種毎に裏面のネジ孔の位置が異なる。このため、この第二スライドレール２１は、ディスプレイ５のネジ孔の位置に対応すべく、縦方向に沿って複数の図示しない取付孔を設け、この取付孔を任意に選択することによってディスプレイ５に取り付けられるようにしている。なお、本実施の形態では、複数の取付孔を設けてディスプレイ５のネジ孔に対応させる場合について説明するが、この取付孔を長孔状にして各種のネジ孔ピッチに対応できるようにしてもよい。
【００３３】
このように構成された第二スライド機構２０は、ディスプレイ５の裏面側に縦方向の第二スライドレール２１を２本取り付けて構成され、その第二スライドレール２１に沿って第二連結具２２を縦方向にスライドさせて第一連結具１２に連結させるようにしている。この第二スライドレール２１は、第一スライドレール１１と同様に、底面部の起立する一対の起立部２１ｂとを備えてチャネル状に構成されており、その起立部２１ｂの両外側（すなわち、右側と左側）に第二連結具２２を挟み込んでスライドさせるようにしている。
【００３４】
この第二スライドレール２１に取り付けられる第二連結具２２は、図３や図４に示すように、第二スライドレール２１の起立部２１ｂに嵌合するようなコの字状の起立部を備えてなり、このコの字状の起立部を第二スライドレール２１に嵌合させることによって上下方向にスライドさせるようになっている。また、この第二連結具２２には下向きのフック部２３が設けられており、このフック部２３を第一連結具１２のフック受け１３に上から挿入できるようにしている。このフック部２３は、先端側に向けて幅を順次横幅を狭くするようにしており、これによって、第二連結具２２を下降させて第一連結具１２に挿入させる際、正確に位置決めしなくてもフック部２３を挿入できるようにしている。また、この第二連結具２２は、側方からロックボルト６で締め付けることによって第二スライドレール２１に固定できるようにしている。
【００３５】
この第二スライドレール２１の下方には、図３に示すように、ディスプレイ５を載置台４３に載せるための載置部３を取り付けている。この載置部３は、ディスプレイ５の裏面側でディスプレイ５を支持できるようにしたものであって、壁面側へ起立する鈎部３２を載置台４３に引っ掛けてディスプレイ５を支持できるようにする。この載置部３は、ディスプレイ５の高さ位置を変更できるようにすべく、第二スライドレール２１上で移動部３１をスライドさせ、任意の位置でロックボルトで固定できるようにしている。
【００３６】
次に、このように構成された取付器具１を用いて、壁面にディスプレイ５を取り付ける作業工程について、図６を参照して説明する。
【００３７】
まず、壁面にディスプレイ５を取り付ける場合、壁面の表面に平面状のブラケット４を取り付け、そのブラケット４に第一スライドレール１１を水平に取り付ける。このとき、第一スライドレール１１は、ディスプレイ５の裏面のネジ孔に正確に対応させて取り付ける必要はなく、およそ第一スライドレール１１がディスプレイ５の裏面からはみ出ないような位置に取り付けばよい。このとき、第一連結具１２は先に第一スライドレール１１に取り付けておくか、もしくは、後付けで第一スライドレール１１上に取り付けるようにする。
【００３８】
次に、この第一スライドレール１１の下方側の所定位置に載置台４３を取り付ける。この載置台４３を取り付ける場合は、載置台４３がディスプレイ５の裏面に隠れるような位置であって、しかも、ユーザーがディスプレイ５を見やすい位置に取り付ける。
【００３９】
続いて、これらの作業とは別に、ディスプレイ５の裏面側に、第二スライドレール２１を取り付ける。このとき、ディスプレイ５の裏面側に４つのネジ孔が設けられているときは、まず、ディスプレイ５の上側のネジ孔と、第二スライドレール２１上方の取付孔の位置合わせをしてネジで取り付け、続いて、下方のネジ孔と取付孔の位置合わせを行ってネジで固定する。そして、もう片方の第二スライドレール２１のネジ孔についても同様の作業を行い、これによって左右一対の第二スライドレール２１を平行に取り付ける。そして、この第二スライドレール２１に第二連結具２２を取り付けるとともに、第二スライドレール２１の下方に載置部３を取り付ける。
【００４０】
このように各部材を取り付けた後、ディスプレイ５を壁面に取り付ける場合、図６（ａ）に示すように、まず、ディスプレイ５の裏面側の載置部３を載置台４３の上に載せ、重いディスプレイ５を支えられるようにする。このとき、作業者は、片手でもディスプレイ５を載置台４３に支持させておくことができる。そして、このように重いディスプレイ５を載置台４３に支持させた状態で、第一スライドレール１１の第一連結具１２の幅を第二スライドレール２１の幅に対応させ、また、第二スライドレール２１側の第二連結具２２を最も上側へスライドさせておく。このとき、第一連結具１２は第一スライドレール１１上で無段階的にスライドさせることができるため、種々のディスプレイ５のネジ孔の幅に対応させることができる。
【００４１】
このように第一連結具１２や第二連結具２２を所定位置にスライドさせた後、ディスプレイ５を起立させて壁面側へ密着させ（図６（ｂ））、第二連結具２２を下方向にスライドさせることによって第一連結具１２のフック受け１３にフック部２３を嵌合させる（図６（ｃ））。そして、このように第一連結具１２と第二連結具２２を連結させた後、第一連結具１２と第二連結具２２をスライドレールに固定すべく、ロックボルト６を横や上から締め付けてスライドレールに固定する。
【００４２】
このように、本実施の形態では、水平方向に第一スライドレール１１を設けるとともに、縦方向に第二スライドレール２１を設けて縦横方向にスライドさせ、ディスプレイ５のネジ孔に対応した箇所に連結具を固定できるようにしたので、種々の大きさのディスプレイ５に対応することができるようになる。しかも、ディスプレイ５を取り付ける際、載置台４３に載置させた状態で第二連結具２２を第一連結具１２に下降させるようにして連結するようにしたので、作業者は重いディスプレイ５を保持した状態で作業する必要がなくなり、少ない人数でディスプレイを取り付けることができるようになる。
【００４３】
さらには、ディスプレイ５を載置台４３に載置する際、ディスプレイ５を直接載置台４３に載置するのではなく、その裏面側に載置部３を取り付け、この載置部３を載置台４３に載置させるようにしたので、載置台４３がディスプレイ５の表面に露出することがなくなり、体裁をよくすることができる。
【００４４】
なお、本発明は上記実施の形態に限定されるものではなく、種々の態様で実施することができる。
【００４５】
例えば、上記実施の形態では、ブラケット４の起立部４２における任意のネジ孔に第一スライドレール１１や載置台４３を取り付けるようにしたが、図７に示すように、ブラケット４に縦方向の基準スライドレール４４を取り付け、この基準スライドレール４４上に第一スライドレール１１や載置台４３を取り付けるようにしてもよい。このようにすれば、無段階的に第一スライドレール１１や載置台４３を基準スライドレール４４上に取り付けることができ、それぞれの上下幅を狭くすることなどによって小さなディスプレイ５の裏面側に第一スライドレール１１や載置台４３を隠すことができるようになる。このとき、基準スライドレール４４上で第一スライドレール１１や載置台４３を取り付けるとき、任意の位置で固定できるようにし、特に、載置台４３については、重い荷重に耐えられるように強く固定できるようにする。
【００４６】
また、上記実施の形態では、第一連結具１２のフック受け１３にフック部２３を挿入して固定するようにしているが、図８に示すように、フック受けの開口部を複数設け、これらの任意の位置を選択してフック部２３を挿入することによってディスプレイ５の角度を調整できるようにしてもよい。図８では、第一連結具１２ａの上部に複数の開口部を形成し、このいずれかの開口部を任意に選択してフック部２３を取り付けられるようにしている。なお、図８では、一番壁面側の開口部にフック部２３を挿入しているが、ディスプレイ５を下方に傾斜させる場合は、一番手前側の開口部にフック部２３を挿入すればよい。また、載置台４３ａについても、上記実施の形態ではＬ字状にしているが、図８に示すように、鈎部３２の先端部分を挿入しうる複数のスリットを設けるような載置台４３ａに構成することもできる。そして、これらのスリットの位置を任意に選択することによってディスプレイ５の傾斜角度を調整できるようにすることもできる。なお、図８では、一番壁面側のスリットに鈎部３２を挿入しているが、ディスプレイ５の向きを水平方向にする場合は、上部の第一連結具１２ａの開口部の位置と同じ位置に挿入するようにすればよい。
【００４７】
また、上記実施の形態では、壁面側に水平方向のスライドレールを設け、また、ディスプレイ５側に垂直方向のスライドレールを設けるようにしているが、これらを逆にしてもよい。すなわち、壁面側に垂直方向にスライドするスライドレールを設け、ディスプレイ側に水平方向にスライドするスライドレールを設けるようにしてもよい。そして、それぞれを連結する場合は、垂直方向にスライドする連結具を下降させることによって、それぞれを連結させるようにする。
【００４８】
また、上記実施の形態では、プラスターボードの表面にブラケット４を取り付けて第一スライドレールなどを取り付けるようにしたが、コンクリート壁面に取り付ける場合は、直接第一スライドレールをコンクリート壁面に取り付けるようにしてもよい。
【図面の簡単な説明】
【００４９】
【図１】本発明の一実施の形態を示す取付器具を用いて壁面にディスプレイを取り付ける状態を示す斜視図
【図２】同形態における第一スライド機構の断面図
【図３】同形態における第二スライド機構の斜視図
【図４】同形態における第二スライド機構の水平方向の断面図
【図５】同形態における第二スライド機構の側面図および垂直方向の断面図
【図６】同形態における取付器具を用いて壁面にディスプレイを取り付ける状態を示す断面図
【図７】本発明の他の実施の形態を示す取付器具を示す図
【図８】本発明の他の実施の形態を示す連結具を示す図
【図９】従来例におけるディスプレイの壁掛け装置
【符号の説明】
【００５０】
１・・・取付器具
１０・・・第一スライド機構
１１・・・第一スライドレール
１２・・・第一連結具
１３・・・フック受け
１３ａ・・・開口部
１４・・・第一固定部
２０・・・第二スライド機構
２１・・・第二スライドレール
２２・・・第二連結具
２３・・・フック部
２４・・・第二固定部
３・・・載置部
３１・・・移動部
３２・・・鈎部
４・・・ブラケット
４３・・・載置台
５・・・ディスプレイ
６・・・ロックボルト
【図１】
2009284363.tif 000003
【図２】
2009284363.tif 000004
【図３】
2009284363.tif 000005
【図４】
2009284363.tif 000006
【図５】
2009284363.tif 000007
【図６】
2009284363.tif 000008
【図７】
2009284363.tif 000009
【図８】
2009284363.tif 000010
【図９】
2009284363.tif 000011